(57)【要約】【課題】  レリースワイヤの操作部又は作動部を支持する支持部が、配管の屈曲する部分に設けられたエルボのそのエルボ内に一体成形されることによって、狭隘な箇所であっても、簡単且つ容易に施工を可能とする。【解決手段】  排水栓の開閉がレリースワイヤで遠隔操作される、そのレリースワイヤの操作部又は作動部を装着支持する支持部が管内に配管されている排水栓装置であって、配管の屈曲で設けられたエルボには、その配管箇所の狭隘でレリースワイヤの操作部又は作動部を装着支持する支持部がそのエルボ内に一体成形されているエルボ構造を備えた排水栓装置である。【選択図】図１
2008223454.tif 000002
【特許請求の範囲】
【請求項１】
排水栓の開閉がレリースワイヤで遠隔操作される、そのレリースワイヤの操作部又は作動部を装着支持する支持部が管内に配設されている排水栓装置にあって、配管の屈曲で設けられたエルボには、その配管箇所の狭隘で、レリースワイヤの操作部又は作動部を装着支持する支持部がそのエルボ内に一体成形されていることを特徴とするエルボ構造を備えた排水栓装置。
【請求項２】
支持部が、エルボ内の内壁面にエルボ口端部方向へ沿って形成され、その支持部の頭部には、レリースワイヤの操作部又は作動部を装着挟持する部位片を形成するための切割部が刻設されるとともに、支持部内壁には、レリースワイヤの操作部又は作動部を係止する係止突起が形成され、支持部の底部には、レリースワイヤを貫通する切欠穴が形成されていることを特徴とする請求項１記載のエルボ構造を備えた排水栓装置。
【請求項３】
支持部が、エルボ内の内壁面にエルボ口端部方向へ沿って形成され、その外周には少なくとも２本の軸方向へ伸延するリブを形成し、該リブの両側部位には支持部の底部に至る切割部を刻設し、該切割部で切割り形成されたリブを備えた部位片から分離されたリブが備えられていない部位片の内面にはレリースワイヤの操作部又は作動部を装着係止する係止突起が形成されることを特徴とする請求項２記載のエルボ構造を備えた排水栓装置。
【請求項４】
レリースワイヤの操作部又は作動部が、エルボに一体成形された支持部へ装着支持され、レリースワイヤとエルボ及びその配管とがセットされてユニット化することを特徴とする請求項１乃至３のいずれか１項に記載のエルボ構造を備えた排水栓装置。
【発明の詳細な説明】
【技術分野】
【０００１】  発明は、排水栓の開閉がレリースワイヤで遠隔操作される、そのレリースワイヤの操作部又は作動部を装着支持する支持部が管内に配設されている排水栓装置にあって、その屈曲する配管で設けられるエルボの構造に関するものである。
【背景技術】
【０００２】  従来、排水栓の開閉を遠隔操作するレリースワイヤは管内に収納され、この配管に当たって、配管箇所の狭隘で管を屈曲し、この屈曲の部分にはエルボが設けられている。そして、エルボは、往々に槽体への取付け近傍に配設され、エルボが槽体を口金具とで挟持固定する接続継手に接続されている。
そこで、レリースワイヤの操作部又は作動部は、接続継手の管内に設けられた支持部材を介して支持取付けられ、該支持部材は、槽体設置時の位置調整で軸方向へ管内を往復動できるように固定されている。【０００３】  排水栓の開閉が遠隔操作されるレリースワイヤをガイドするガイド管内に収納する排水栓装置にあっては、レリースワイヤの操作部又は作動部を支持する支持部材が槽体を口金具とで挟持する接続継手に固定され、該接続継手には、ガイド管が接続され、位置調整で支持部材を軸方向へ往復動可能に固定していた。（特許文献１）【０００４】  また、レリースワイヤの作動部を支持する支持部材が、排水管接続部を下部に設けた排水用口金具内に設けられたものである。（特許文献２）【０００５】  そして、排水栓の開閉が遠隔操作されるレリースワイヤをオーバーフロー管内に収納する排水栓装置にあっては、レリースワイヤの操作部を支持する支持部材が、槽体をオーバーフロー口金具とで挟持するオーバーフロー管に接続の接続継手内に設けられ、位置調整で往復動可能にされたものである。（特許文献３）【０００６】
【特許文献１】  特開２０００−３２８６２４
【特許文献２】  特開２００２−１６７８２９
【特許文献３】  特開２００４−１８３２２５
【発明の開示】
【発明が解決しようとする課題】
【０００７】  従来のレリースワイヤの操作部又は作動部が支持される支持部材を管内に配設して、排水栓の開閉が遠隔操作される排水栓装置にあっては、その配管の屈曲の部分には、エルボが設けられ、レリースワイヤの操作部又は作動部を支持する支持部材が、口金具とで槽体を挟持するエルボへ接続の接続継手に設けられていたので、配管の狭隘な箇所での施工には限界があり、少なくとも、接続継手分の長さ寸法の短縮ができなかった。
そして、排水栓の開閉をレリースワイヤによって遠隔操作する排水栓装置が施工されるに当たっては、各部品を組付け施工していくと、完成時には組付け誤差を生じ、レリースワイヤの操作部又は作動部を支持する支持部材の位置調整をしなければならず、この位置調整の作業が困難で、手間隙を要することになった。【０００８】  そこで、本発明は、排水栓の開閉を遠隔操作するレリースワイヤが、その操作部又は作動部を管内に設けるようにされた排水栓装置での配管において、レリースワイヤの操作部又は作動部を支持する支持部が、配管の屈曲する部分に設けられたエルボのそのエルボ内の屈曲部に一体成形されることによって、狭隘な箇所であっても簡単且つ容易に施工を可能とするエルボ構造を備えた排水栓装置が得られることにある。
【課題を解決するための手段】
【０００９】  本発明のエルボ構造を備えた排水栓装置は、排水栓の開閉がレリースワイヤで遠隔操作される、そのレリースワイヤの操作部又は作動部を装着支持する支持部が管内に配設されている排水栓装置であって、配管の屈曲で設けられたエルボには、その配管箇所の狭隘で、レリースワイヤの操作部又は作動部を装着支持する支持部がそのエルボ内に一体成形されているものである。【００１０】  本発明のエルボ構造を備えた排水栓装置は、支持部がエルボ内の内壁面にエルボ口端部方向へ沿って形成され、その支持部の頭部には、レリースワイヤの操作部又は作動部を装着挟持する部位片を形成するための切割部が刻設されるとともに、支持部内壁には、レリースワイヤの操作部又は作動部を係止する係止突起が形成され、支持部の底部には、レリースワイヤを貫通する切欠穴が形成されているものである。【００１１】  本発明のエルボ構造を備えた排水栓装置は、支持部がエルボ内の内壁面にエルボ口端部方向へ沿って形成され、その外周には少なくとも２本の軸方向へ伸延するリブを形成し、該リブの両側部位には支持部の底部に至る切割部を刻設し、該切割部で切割り形成されたリブを備えた部位片から分離されたリブが備えられていない部位片の内面にはレリースワイヤの操作部又は作動部を装着係止する係止突起が形成されるものである。【００１２】  本発明のエルボ構造を備えた排水栓装置は、レリースワイヤの操作部又は作動部がエルボ内に一体成形された支持部へ装着支持され、レリースワイヤとエルボ及びその配管とがセットされてユニット化するものである。
【発明の効果】
【００１３】  本発明のエルボ構造を備えた排水栓装置は、レリースワイヤの操作部又は作動部を装着支持する支持部が、エルボ内に一体成形され、エルボを槽体に直接取付けることができるので、この取付け箇所が狭隘であっても取付け可能であり、更に、支持部がエルボ口端部より一番離れたエルボ内の屈曲部に形成されているので、狭い取付け箇所の極限までの取付けを可能とする。【００１４】  本発明のエルボ構造は、レリースワイヤの操作部又は作動部を装着支持する支持部がエルボ内の内壁面にエルボ口端部へ沿って形成され、支持部頭部には、レリースワイヤの操作部又は作動部を装着支持する部位片を形成するための切割部が刻設され、支持部底部には、レリースワイヤを貫通する切欠穴が形成されたものであるので、２方向抜きの金型で成形することができ、複雑な構造のようにみえても簡単且つ容易に成形することができる。【００１５】  本発明のエルボ構造を備えた排水栓装置は、レリースワイヤの操作部又は作動部を支持する支持部がエルボに一体成形された構造であって、支持部をエルボの屈曲部に形成したものであるが、屈曲部の曲面が滑らかなガイドとなり、レリースワイヤを容易に支持部底部の切欠穴へ挿通させることができ、且つ、操作部又は作動部が支持部の切割部及び係止突起の簡単かつ容易な、しかも確実な装着されているので、レリースワイヤをエルボ及びその配管とユニット化することが簡単かつ容易にでき、施工時に、位置合わせをするなどのために、手間隙かける必要がない。【００１６】  そして、支持部の取付けで制約されていた管の口形状は、支持部がエルボ内に一体成形されることによって、支持部を螺着などによる管内への取付けのために、その管の口形状が円形状などに限定されていたものを、色々の口形状のものへの対応ができるようになった。
【発明を実施するための最良の形態】
【００１７】  本発明の排水栓装置におけるエルボ構造は、排水栓の開閉がレリースワイヤによる遠隔操作され、レリースワイヤの操作部又は作動部を配管の屈曲で設けられたエルボの管内に設けられた支持部へ装着支持し、該支持部がエルボ内に一体成形され、該エルボを槽体などに直接取付けることによって、配管箇所の狭隘でも施工できるようにするものである。
【実施例１】
【００１８】  本発明のオーバーフロー管にレリースワイヤを収納し、排水栓の開閉がそのレリースワイヤで遠隔操作される排水栓装置についてを、図１、図２、及び図３に基いて説明する。
レリースワイヤ２が管１に配設され、その管１をオーバーフロー管１１とする排水栓装置が図１に示されている。
オーバーフロー管１１は、槽体４から排水管５へ配管され、配管の屈曲にはエルボ３が設けられている。その配管箇所の狭隘でも施工可能とするためエルボ３を直接槽体４に取付けるようにする。槽体４がパッキン６を介したエルボのフランジ３１とオーバーフロー口金具７とで挟持され、槽体４にオーバーフロー管１１が取付けられる。
また、オーバーフロー管１１は、排水管５に接続され、該排水管が袋ナット５１の螺合で排水接続継手（図示せず）に接続される。そして、該排水接続継手と排水口金具（図示せず）とで槽体４が挟持されて取付けられる。【００１９】  レリースワイヤ２には、操作部２１と作動部２２とを備え、操作部２１を装着支持する支持部３２が、図３に示す如く、エルボ３内の屈曲部３３に一体成形され、エルボ内の屈曲部３３から内壁面に沿ってエルボ口端部３４方向へ延出形成されている。その支持部３２の頭部には、レリースワイヤの操作部２１を装着挟持する部位片を形成するための切割部３２１が刻設されるとともに（図２）、支持部３２内壁には、レリースワイヤの操作部２１を係止する係止突起３２２が形成され、支持部３２の底部には、レリースワイヤ２を貫通する切欠穴３２３が形成されている。【００２０】  支持部３２は、図１に示す如く、エルボ３内の屈曲部３３から内壁面に沿ってエルボ口端部３４方向へ延出形成され、その外周には、図２に示す如く、少なくとも２本の軸方向へ伸延するリブ３２０を形成し、該リブの両側部位には、支持部３２の底部に至る切割部３２１を刻設し、該切割部で切割り形成されたリブ３２０を備えた部位片から分離されたリブ３２０を備えていない部位片３２４の内面には、レリースワイヤの操作部２１を係止する係止突起３２２が形成されている。
支持部３２のリブ３２０を備えた部位片は、操作部２１が支持部３２に装着されるときの支持補強となり、リブ３２０を備えていない部位片３２４は、操作部２１の装着で押し開かれ、その内面に形成された係止突起３２２で操作部を弾撥的に係止することになる。
そして、作動部２２を装着支持する支持部５２は、同じような構成で排水管５に設けられている。【００２１】  レリースワイヤ２は、操作部２１、又は作動部２２のいずれかには、スラストロック機構（図示せず）を要し、操作軸２１１に嵌着のオーバーフロー穴付釦８が、押し引きされることによって、作動部２２の作動軸２２１は出没し、該作動軸２２１に載置連結した排水栓（図示せず）の開閉がされる。【００２２】  レリースワイヤ２の操作部２１を装着支持する支持部３２が、エルボ３の屈曲部３３に一体成形され、支持部底部には、切欠穴３２３が形成されているので、操作部２１の支持部３２への装着の際、屈曲部３３の曲面がレリースワイヤ２の滑り易いガイド面となって組付けを手際良くでき、オーバーフロー管１１にレリースワイヤ２をセットすることによって、排水管５が接続されたオーバーフロー管１１とレリースワイヤ２とをユニット化することができる。よって、このオーバーフロー管ユニットを槽体４に組付けることには、複雑施工でないので、手間隙かけずに簡単且つ容易にできる。
【実施例２】
【００２３】  本発明の排水管にレリースワイヤが通され、排水栓の開閉がそのレリースワイヤで遠隔操作される排水栓装置について、図４、図５に基いて説明する。
排水管５ａは、配管の屈曲にはエルボ５１ａが設けられ、該エルボ５１ａを直接、槽体４に取付けるので、その配管箇所の狭隘でも施工可能にする。
排水管５ａは、袋ナット５５ａの螺合で排水口金具５６ａに接合し、該排水口金具５６ａが締結ナット５７ａとで槽体４を挟持し、締結される。【００２４】  レリースワイヤ２は、操作部２１と作動部２２とを備え、操作部２１が、槽体４の操作釦８ａの取付部に設けた支持部２１ａに支持され、作動部が、排水管５ａのエルボ５１ａ内に一体成形された支持部５２ａに支持されている。
作動部の支持部５２ａは、エルボ５１ａ内の屈曲部５３ａに一体成形され、該屈曲部５３ａから内壁面に沿ってエルボ口端部５４ａ方向へ延出形成している。この支持部５２ａの頭部には、レリースワイヤの作動部２２を装着挟持する切割部５２１ａが刻設され、支持部５２ａの内壁には、レリースワイヤの作動部２２を係止する係止突起５２２ａが形成され、そして、支持部５２ａの底部には、レリースワイヤ２を貫通する切欠穴５２３ａが形成されている。
なお、支持部５２ａは、その外周に軸方向へ伸延するリブ５２０を形成し、該リブの両側部位には支持部５２ａの底部に至る切割部５２１ａを刻設し、リブ５２０を備えていない部位片５２４ａの内面には係止突起５２２ａが形成されている。【００２５】  エルボ５１ａの支持部５２ａに作動部２２を装着支持させ、レリースワイヤ２がエルボの屈曲部５３ａの曲面を滑り易いガイド面として滑り、切欠穴５２３ａを貫通し、枝管５８ａより導出されてエルボ５１ａに組付けられ、ユニット化される。
ユニット化されたために、このエルボ５１ａは、槽体４に排水口金具５６ａをもって取付けられ、レリースワイヤの操作部２１を操作部側の支持部２１ａに支持することが簡単且つ容易にできる。
そこで、操作部２１が操作釦８ａの押し引きで、作動部２２の作動軸２２１を突出、及び引込みがされ、それに装着した排水栓９が開閉されることになる。
【実施例３】
【００２６】  排水栓の開閉がレリースワイヤで遠隔操作されるそのレリースワイヤを槽体に付設したガイド管に収納する排水栓装置については、図６によって説明する。
槽体に取付けるガイド管１１ａは、その配管箇所の狭隘で、屈曲するエルボ３ａを直接、螺着によって操作口金具（図示せず）とで槽体が挟持されて取付けられる。
レリースワイヤ２とガイド管１１ａとをユニット化するエルボ３ａは、その屈曲部３３ａ内に支持部３２ａを一体成形し、該支持部が屈曲部３３ａから内壁面に沿ってエルボ口端部３４ａ方向へ延出形成されている。
支持部３２ａは、頭部には、レリースワイヤの操作部２１を装着挟持する切割部３２１ａが刻設され、内壁には、レリースワイヤの操作部２１を係止する係止突起３２２ａが形成され、底部には、レリースワイヤ２を貫通する切欠穴３２３ａが形成されている。
なお、支持部３２ａは、その外周に軸方向へ伸延するリブ３２０ａを形成し、該リブの両側部位には支持部３２ａの底部に至る切割部３２１ａを刻設し、リブ５２０ａを備えていない部位片３２４ａの内面には係止突起３２２ａが形成されている。【００２７】  ガイド管１１ａは、そのエルボ３ａに、それと一体成形する支持部３２ａへレリースワイヤ２の操作部２１が装着支持されてユニット化し、その施工を簡単且つ容易にし、手間隙かけずに出来ることになる。
【図面の簡単な説明】
【００２８】
【図１】  オーバーフロー管のエルボ構造を備えた排水栓装置のユニット化オーバーフロー管図である。
【図２】  オーバーフロー管の槽体との接合面視図である。
【図３】  オーバーフロー管のエルボ断面図である。
【図４】  排水管のエルボ構造を備えた排水栓装置のユニット化排水管図である。
【図５】  排水管のエルボ断面図である。
【図６】  ガイド管のエルボ断面図である。
【符号の説明】
【００２９】１          管
１１        オーバーフロー管
１１ａ      ガイド管
２          レリースワイヤ
２１        操作部
２１ａ      支持部
２１１      操作軸
２２        作動部
２２１      作動軸
３          エルボ（オーバーフロー管）
３ａ        エルボ（ガイド管）
３１        フランジ
３２        支持部
３２ａ      支持部
３２０      リブ
３２０ａ      リブ
３２１      切割部
３２１ａ    切割部
３２２      係止突起
３２２ａ    係止突起
３２３      切欠穴
３２３ａ      切欠穴
３２４      リブを備えていない部位片
３２４ａ      リブを備えていない部位片
３３        屈曲部
３３ａ      屈曲部
３４        エルボ口端部
３４ａ      エルボ口端部
４          槽体
５          排水管
５ａ        排水管
５１        袋ナット
５１ａ      エルボ（排水管）
５２        支持部
５２ａ      支持部
５２０      リブ
５２１ａ    切割部
５２２ａ    係止突起
５２３      切欠穴
５２４      リブを備えていない部位片
５３ａ      屈曲部
５４ａ      エルボ口端部
５５ａ      袋ナット
５６ａ      排水口金具
５７ａ      締結ナット
５８ａ      枝管
６          パッキン
７          オーバーフロー口金具
８          オーバーフロー穴付釦
８ａ        操作釦
９          排水栓
【図１】
2008223454.tif 000003
【図２】
2008223454.tif 000004
【図３】
2008223454.tif 000005
【図４】
2008223454.tif 000006
【図５】
2008223454.tif 000007
【図６】
2008223454.tif 000008